(57)【要約】【課題】本発明の課題は、省スペース化及び低コスト化を図りつつ、メールボックス機能とインサータ機能とを併せ持つことができる用紙積載装置を提供することである。【解決手段】画像形成装置１００から排出される用紙Ｐに後処理を施す用紙後処理装置１と、用紙後処理装置１に連設される用紙積載装置３であって、用紙積載装置３は上下複数段の積載トレイ３３と、用紙Ｐを排紙方向又は給紙方向に向けて搬送する搬送ローラ３１と、搬送方向における用紙先端の案内を行う用紙切換爪３７と、各手段の動作を制御する制御手段８０とを備え、制御手段８０は画像形成装置１００から搬送された用紙Ｐを積載トレイ３３ごとに排紙するとともに、積載トレイ３３にセットした給紙用紙を排紙方向とは反対方向に搬送して用紙後処理装置１内に給紙するように設けた。【選択図】　図１
2004067314.tif 000002
【特許請求の範囲】
【請求項１】
画像形成装置から排出される用紙に後処理を施す用紙後処理装置と、用紙後処理装置に連設される用紙積載装置であって、
用紙積載装置は上下複数段のトレイと、用紙を排紙方向又は給紙方向に向けて搬送する用紙搬送手段と、搬送方向における用紙先端の案内を行う用紙切換爪と、各手段の動作を制御する制御手段とを備え、制御手段は画像形成装置から搬送された用紙を用紙搬送手段を介してトレイごとに排紙するとともに、トレイにセットした給紙用紙を排紙方向とは反対方向に搬送して用紙後処理装置内に給紙することを特徴とする用紙積載装置。
【請求項２】
トレイは用紙の排紙又は給紙を案内する案内部材を設けており、案内部材と用紙切換爪との間でなす角度が、用紙後処理装置内に用紙が給紙される場合の方がトレイに排紙される場合に比べて小さくなるように制御されることを特徴とする請求項１記載の用紙積載装置。
【請求項３】
用紙切換爪は断面視略三角形状であり、用紙後処理装置内に用紙が給紙される際には、上段のトレイにおける用紙切換爪の下端の位置と、下段のトレイにおける用紙切換爪の上端の位置とが用紙搬送方向と略一直線状になることを特徴とする請求項１又は２記載の用紙積載装置。
【請求項４】
トレイには用紙の搬送方向に沿う方向の用紙の縁を揃える整合手段と、整合手段の位置を検知する検知手段とを備え、検知信号を受けると、制御手段はトレイにセットされた用紙を用紙後処理装置内に向けて給紙することを特徴とする請求項１乃至３の何れかに記載の用紙積載装置。
【請求項５】
整合手段の位置を検知する検知手段から検知信号を受けた場合には、画像形成装置から搬送された用紙を、給紙用紙をセットしたトレイとは異なるトレイに排出することを特徴とする請求項４に記載の用紙積載装置。
【請求項６】
画像形成装置から排出される用紙に後処理を施す用紙後処理装置と、用紙後処理装置に連設される用紙積載装置であって、
用紙積載装置は上下複数段のトレイと、用紙を排紙方向又は給紙方向に向けて搬送する用紙搬送手段と、搬送方向における用紙先端の案内を行う案内爪と、各手段の動作を制御する制御手段とを備え、制御手段は画像形成装置から搬送された用紙を用紙搬送手段を介してトレイごとに排紙し、トレイにセットした給紙用紙を排紙方向とは反対方向に搬送して用紙後処理装置内に給紙するように制御し、各トレイは排紙又は給紙の何れか一方のみの動作を行うことを特徴とする用紙積載装置。
【発明の詳細な説明】
【０００１】
【発明の属する技術分野】
本発明は、電子写真式の複写機、プリンタ、ファクシミリ等に適用される用紙積載装置に関するものである。
【０００２】
【従来の技術】
最近、高速のデジタル複写機やプリンタ等においては、複数のパーソナルコンピュータと複写機等とを接続して、１台の複写機等で複数のユーザで共用するケースが多くなっている。特開２０００−１６９０３３号公報で示す従来例では、画像形成装置に隣接して設けられる用紙後処理装置の上部に用紙積載装置（メールボックス）を装備している。この装置においては、画像形成装置から搬送された記録紙をユーザごとに割り当てられたメールボックスに排紙する機能を備えている。
【０００３】
一方、特開２００１−１７１８９４号公報で示す従来例では、画像形成装置に隣接して設けられる用紙後処理装置の上部にインサータ装置を装備している。この装置は、画像形成後に綴じ処理手段に整合された用紙束に対して、表紙や背表紙を付けたり、また途中に割り込みを入れたりする機能を備えている。そして、トレイに挿入したい用紙をセットすることで、自動的に用紙を綴じ処理手段に搬送して、表紙等として用紙束に組み込まれるようになっている。
【０００４】
【発明が解決しようとする課題】
最近では、上述のメールボックス機能とインサータ機能との両方の機能を併せ持った複写機等が望まれている。しかしながら、メールボックス機能とインサータ機能との両方の機能を共有させることは、省スペース化及び低コスト化の観点から困難であった。
【０００５】
本発明は、省スペース化及び低コスト化を図りつつ、メールボックス機能とインサータ機能とを併せ持つことができる用紙積載装置を提供することを目的とする。
【０００６】
【課題を解決するための手段】
請求項１に記載の発明は、画像形成装置から排出される用紙に後処理を施す用紙後処理装置と、用紙後処理装置に連設される用紙積載装置であって、用紙積載装置は上下複数段のトレイと、用紙を排紙方向又は給紙方向に向けて搬送する用紙搬送手段と、搬送方向における用紙先端の案内を行う用紙切換爪と、各手段の動作を制御する制御手段とを備え、制御手段は画像形成装置から搬送された用紙を用紙搬送手段を介してトレイごとに排紙するとともに、トレイにセットした給紙用紙を排紙方向とは反対方向に搬送して用紙後処理装置内に給紙することを特徴とする。尚、用紙後処理装置は画像形成が行われた用紙の綴じ処理を行う用紙綴じ手段を備えている。
【０００７】
この請求項１に記載の発明では、画像形成装置から排出された用紙は、画像形成装置に隣接して設けられた用紙後処理装置内に向け順次、搬送される。本発明に係る用紙積載装置を排紙機能（メールボックス機能）として使用する場合には、画像形成が行われた用紙は、用紙後処理装置内を通過して、用紙積載装置に向けて搬送される。そして、用紙搬送手段により用紙は排紙方向に向けて搬送され、ユーザが設定した所定のトレイに排紙される。
【０００８】
一方、本発明に係る用紙積載装置を給紙機能（インサータ機能）で使用する場合には、画像形成が行われた用紙は用紙後処理装置内の用紙綴じ手段に向けて搬送される。そして、トレイに給紙する用紙をセットすると、用紙搬送手段が排紙方向とは反対の方向に駆動し、用紙を用紙綴じ手段に積載された用紙束に向け所定のタイミング動作にて搬送される。
【０００９】
このように、１つの用紙積載装置にメールボックス機能とインサータ機能との両方を兼ね備えたので、インサータ機能を備えた装置を別途設ける必要がなく省スペース化と低コスト化を図ることができる。
【００１０】
請求項２に記載の発明は、請求項１に記載の発明において、トレイは用紙の排紙又は給紙を案内する案内部材を設けており、案内部材と用紙切換爪との間でなす角度が、用紙後処理装置内に用紙が給紙される場合の方がトレイに排紙される場合に比べて小さくなるように制御されることを特徴とする。
【００１１】
請求項２に記載の発明は、請求項１に記載の発明と同様の作用効果を奏するとともに、メールボックス機能として使用する場合には、案内部材と用紙切換爪との間でなす角度を大きくしているので、画像形成装置から送られてきた用紙が積載トレイ内に導かれ易く、一方インサータ機能として使用する場合には案内部材と用紙切換爪との間でなす角度をメールボックス機能の場合に比べて小さくするので、用紙が用紙搬送方向に導かれ易く、用紙の搬送をスムーズに行うことができる。
【００１２】
請求項３に記載の発明は、請求項１又は２に記載の発明において、用紙切換爪は断面視略三角形状であり、用紙後処理装置内に用紙が給紙される際には、上段のトレイにおける用紙切換爪の下端の位置と、下段のトレイにおける用紙切換爪の上端の位置とが用紙搬送方向と略一直線状になることを特徴とする。
【００１３】
請求項３に記載の発明は、請求項１又は２に記載に発明と同様の作用効果を奏するとともに、上下に並んだ切換爪が用紙搬送方向と略一直線上になっているので、案内部材と用紙切換爪との間で段差が生じ難いので、インサータ機能として使用する場合に、用紙の搬送方向の先端が段差に引っ掛かり難く、スムーズに用紙を搬送できる。
【００１４】
請求項４に記載の発明は、請求項１乃至３の何れかに記載の発明において、トレイには用紙の搬送方向に沿う方向の用紙の縁を揃える整合手段と、整合手段の位置を検知する検知手段とを備え、検知信号を受けると、制御手段はトレイにセットされた用紙を用紙後処理装置内に向けて給紙することを特徴とする。
【００１５】
この請求項４に記載の発明では、請求項１乃至３の何れかに記載の発明と同様の作用効果を奏するとともに、トレイに用紙をセットして整合手段をトレイの用紙サイズの位置に合わせると、検知手段によってインサート用紙がセットされていると認識され、トレイにセットされた用紙が用紙後処理装置内に向けて搬送されるので、別途に煩雑な操作が必要でなく、操作性が向上する。
【００１６】
請求項５に記載の発明は、請求項４に記載の発明において、整合手段の位置を検知する検知手段から検知信号を受けた場合には、画像形成装置から搬送された用紙を、給紙用紙をセットしたトレイとは異なるトレイに排出することを特徴とする。
【００１７】
この請求項５に記載の発明では、請求項４に記載の発明と同様の作用効果を奏するとともに、インサート機能として利用されるトレイに排紙指示があった場合には、他のトレイに排紙されるので、メールボックス機能とインサート機能とを同時に利用する場合でも他のユーザに迷惑をかけることがなく対応ができる。
【００１８】
請求項６に記載の発明は、画像形成装置から排出される用紙に後処理を施す用紙後処理装置と、用紙後処理装置に連設される用紙積載装置であって、用紙積載装置は上下複数段のトレイと、用紙を排紙方向又は給紙方向に向けて搬送する用紙搬送手段と、搬送方向における用紙先端の案内を行う案内爪と、各手段の動作を制御する制御手段とを備え、制御手段は画像形成装置から搬送された用紙を用紙搬送手段を介してトレイごとに排紙し、トレイにセットした給紙用紙を排紙方向とは反対方向に搬送して用紙後処理装置内に給紙するように制御し、各トレイは排紙又は給紙の何れか一方のみの動作を行うことを特徴とする。
【００１９】
この請求項６に記載の発明では、用紙積載装置の複数のトレイが排紙又は給紙の何れか一方のみの動作を行うようにしたので、用紙切換爪の複雑な制御を必要とせず、用紙搬送手段の動作の切換によって両方の機能を行うことができるので、構成が簡単で低コスト化を図れる。
【００２０】
【発明の実施の形態】
図１は用紙積載装置の設置状態を概略的に示す断面図、図２は図１に係る用紙積載装置を示す断面図、図３は積載トレイを拡大して示す断面図、図４は積載トレイの各部分の駆動部を示す断面図、図５は本発明の用紙積載装置の制御ブロック図、図６は本発明に係る用紙積載装置のメールボックス機能時における動作の流れを示すフローチャート、図７は本発明に係る用紙積載装置のインサート機能時における動作の流れを示すフローチャートである。
【００２１】
図１に示すように、画像形成装置１００の側部には用紙後処理装置１が取り付けられており、用紙後処理装置１の上部には本発明に係る用紙積載装置３が設置される。
【００２２】
用紙後処理装置１は、画像形成装置１００から搬送された用紙Ｐを順次スタックするスティプルトレイ１１と、スティプルトレイ１１にスタックされた複数枚の用紙Ｐにスティプル処理（綴じ処理）を行う用紙綴じ装置１３と、用紙綴じ装置１３で綴じた用紙Ｐを排紙する上下移動が可能な移動トレイ１５とを備えている。また、綴じ処理を行わない用紙Ｐは、用紙綴じ装置１３を経由せずにそのまま移動トレイ１５又は移動トレイ１５の上部位置に設けられた固定トレイ１７に搬送される。
【００２３】
用紙後処理装置１の搬送経路には搬送ローラ１９が複数設けられている。また、用紙後処理装置１の略中央部分には搬送経路の切換えを行う偏向爪２１が設けられている。
【００２４】
用紙積載装置３は、用紙後処理装置１から送られてきた用紙Ｐを搬送する搬送ローラ３１と、用紙Ｐを積載する積載トレイ３３と、用紙Ｐを積載トレイ３３に排出又は給紙する排紙ローラ３５と、用紙Ｐの搬送方向の切換えを行う用紙切換爪３７とを備えている。積載トレイ３３の根元部分は上下動自在な可動部４１となっており、さらに可動部４１の上部位置には積載トレイ３３にセットされた用紙Ｐを給紙するためのピックアップローラ４３が設けられている。可動部４１の下部位置にはトレイ駆動部４２が設けられており、トレイ上昇駆動部７９に接続されている。ピックアップローラ４３は、リンク部材を介してピックアップ駆動部７７に接続されている。また、用紙切換爪３７はトレイ切換爪駆動部７５に接続されており、ベルトを介して用紙切換爪３７の角度が変更できる。
【００２５】
積載トレイ３３には図１０に示すように用紙Ｐを中央の位置に揃えるためのサイドフェンス（整合手段）４５が設けられており、通常はトレイの両端に位置している（図中４５ｂの位置）。そして、積載トレイ３３を給紙トレイとして使用する場合に、用紙Ｐを積載トレイ３３にセットしてサイドフェンス４５を内側の位置に移動させると、用紙検知センサ６１等の検知手段が働き、給紙モードと認識される。両側のサイドフェンス４５は摺動軸５５に摺動自在に設けられており、ラック５３及びギア５１を介して移動する。
【００２６】
次に、上述した構成及び図６及び図７のフローチャートに基づき本実施の形態の作用を説明する。まず、本実施の形態に係る用紙積載装置３を通常のメールボックスとして使用する場合について説明する。
【００２７】
画像形成装置１００の操作パネル又はパーソナルコンピュータ（パソコン）のユーザからの指示により、プリントスタートの信号を受けて、排紙される積載トレイ３３が指定されると（ステップＳ１１）、指定した積載トレイ３３に用紙Ｐがセットされているか否かが判断される（ステップＳ１２）。指定した積載トレイ３３に用紙Ｐがないと判断された場合には、用紙搬送駆動部７１及び進路切換爪駆動部７３に信号を送り、搬送ローラ３１及び偏向爪２１を動作させて用紙Ｐを所定の積載トレイ３３に排紙する。
【００２８】
一方、指定した積載トレイ３３に用紙Ｐがある場合には、用紙検知センサ６１の検知信号をトレイ紙有無センサ部８１が受けて制御部８０に信号が送られる。信号を受けた制御部８０により、「紙を取り除いて下さい」等のメッセージが操作パネル部７０又はパソコンの画面上に表示され（ステップＳ１３）、積載トレイ３３から用紙Ｐが取り除かれたことを検知すると用紙搬送が開始され、積載トレイ３３に用紙Ｐを排紙する（ステップＳ１４）。
【００２９】
次に、本実施の形態に係る用紙積載装置３をインサータ機能として使用する場合について説明する。ここで、インサータ機能とは用紙後処理装置１のスティプルトレイ１１に整合された用紙束に対して、表紙や背表紙を付けたり、また用紙束の途中に割り込みを入れたりする機能である。
【００３０】
用紙積載装置３をインサータ機能として使用する場合（ステップ２１）には、用紙後処理装置１に向けてインサートしたい用紙を所定の積載トレイ３３にセットする。積載トレイ３３に用紙Ｐがセットされると、セットされた積載トレイ３３が認識される（ステップ２２）。次に、積載トレイ３３のサイドフェンス４５が用紙サイズの位置にあるか否かが判断される（ステップ２３）。サイドフェンス４５が用紙サイズの位置に移動していると判断された場合には、次ステップに進み、移動していない場合には、このステップ動作が繰り返される。
【００３１】
ステップ２４では、用紙Ｐの給紙タイミングが決定される。給紙タイミングは、スティプルトレイ１１に整合された用紙束に対して、どのタイミングで給紙するのかを決定するものであり、表紙や背表紙としてインサートを行うのか、用紙束の途中に割り込みを入れるのかでタイミングが異なる。用紙Ｐの給紙タイミングが決定すると、給紙を行う積載トレイ３３上に用紙がセットされているか否かを判断する（ステップ２５）。積載トレイ３３上に用紙がセットされていない場合は、用紙の補給メッセージが出されるとともに、この動作が繰り返される（ステップ３０）。
【００３２】
積載トレイ３３上に用紙Ｐがセットされている場合は、制御部８０から用紙搬送駆動部７１、トレイ切換爪駆動部７５、ピックアップ駆動部７７及びトレイ上昇駆動部７９に信号を送る。そして、各駆動部からの信号を受けて積載トレイ３３の可動部４１が上昇し、ピックアップローラ４３の駆動によりトレイ上の用紙Ｐが給紙される。そして給紙された用紙Ｐは、インサータ機能用に所定の角度に切換えられた用紙切換爪３７を介して用紙搬送路２３に搬送される。用紙搬送路２３では排紙モードと逆回転に駆動している搬送ローラ３１によって、用紙後処理装置２のスティプルトレイ１１に整合された用紙束に向けて搬送される（ステップ２６）。用紙後処理装置２のスティプルトレイ１１に整合された用紙束の所定の位置に組み込まれたインサート用紙は、他の用紙と共に用紙綴じ装置１３で、綴じ処理が行われた後、移動トレイ１５又は固定トレイ１７に排紙される。
【００３３】
上記のインサータ機能における駆動動作が終了した後（ステップ２７）、積載トレイ３３上にインサート用紙が残っているか否か判断され（ステップ２８）、残っていない場合には一連の動作は終了する。積載トレイ３３上にインサート用紙が残っている場合は、他の積載トレイ３３上に用紙がセットされているか否か判断し（ステップ２９）、用紙がセットされている場合はトレイの準備が行われ（ステップ３１）、ステップ２４の動作から再び繰り返される。
【００３４】
このように、１つの用紙積載装置３にメールボックス機能とインサータ機能との両方を兼ね備えたので、インサータ機能を備えた装置を別途設ける必要がなく、省スペース化と低コスト化を図ることができる。
【００３５】
次に、用紙Ｐの搬送方向の切換えを行う用紙切換爪３７について説明する。積載トレイ３３を通常のメールボックス機能として使用する場合は、図８（ａ）に示すように、用紙搬送路２３から搬送された用紙を取り込み易いように、用紙切換爪３７と案内部材３９との間は、幅広く取られている。一方、積載トレイ３３をインサータ機能として使用する場合は、図８（ｂ）に示すように、インサータ機能の場合よりも用紙切換爪３７と案内部材３９との間は、狭くなるように制御される。
【００３６】
このように、メールボックス機能として使用する場合には、案内部材３９と用紙切換爪３７との間でなす角度を大きくしているので（図中Ａで示す）、画像形成装置１００から送られてきた用紙Ｐが積載トレイ３３内に導かれ易く、一方、インサータ機能として使用する場合には，案内部材３９と用紙切換爪３７との間でなす角度をメールボックス機能の場合に比べて小さくするので（図中Ｂで示す）、用紙Ｐが用紙搬送方向に導かれ易く、搬送をスムーズに行うことができる。
【００３７】
次に、他の実施の形態を説明するが、その説明にあたり上述した部分と同一の作用効果を奏する部分には、同一の符号を付することにより、その部分の詳細な説明を省略する。
【００３８】
図９は第２の実施形態に係る用紙積載装置３の用紙切換爪３７の状態を示している。図９（ａ）はメールボックス機能として使用する場合に、用紙切換爪３７と用紙搬送路２３との関係を示している。メールボックス機能として使用する場合は、用紙切換爪３７の上端３７ａが下端３７ｂよりも、若干、用紙搬送路２３側に傾いた状態となっている。このように、用紙切換爪３７を斜めにすることで、用紙Ｐの搬送方向の先端が部材に引っ掛からずに、スムーズな用紙搬送が可能となる。
【００３９】
一方、図９（ｂ）に示すように、インサータ機能として使用する場合は、用紙切換爪３７の上端３７ａと下端３７ｂとを結ぶ直線が、用紙搬送路２３と略平行状態になるように制御する。この場合、案内部材３９と用紙切換爪３７との間で段差が生じず、積載トレイ３３から搬送された用紙の搬送方向先端が段差に引っ掛かりにくく、スムーズな搬送が可能となる。
【００４０】
第３の実施形態では、画像形成装置１００で画像形成が行われた用紙が積載トレイ３３に向けて搬送されている途中で、排紙されるべき積載トレイ３３に、用紙がセットされた場合についての制御である。この場合、インサート機能として利用されるトレイに排紙指示があった場合には、他の空いたトレイに排紙されるようにした。このように、インサート機能とメールボックス機能とを併用した場合に生じる不具合にも十分に対処できる。
【００４１】
第４の実施形態では、図１１に示すように、用紙積載装置３をメールボックス機能専用の積載トレイ３３ａとインサータ機能専用の積載トレイ３３ｂとに分けて、夫々専用のトレイを使用するようにした。用紙積載装置３の複数のトレイ３３が排紙又は給紙の何れか一方のみの動作を行うようにしたので、用紙切換爪３７の複雑な制御を必要とせず、用紙搬送手段の動作の切換によって両方の機能を行うことができるので、構成が簡単で低コスト化を図れる。尚、メールボックス機能専用の積載トレイ３３ａとインサータ機能専用の積載トレイ３３ｂの数の割合や配置は任意に設定可能である。
【００４２】
なお、本発明は上述した実施の形態に限定されず、その要旨を逸脱しない範囲で種々の変形が可能である。
【００４３】
搬送ローラ３１及び排紙ローラ３５は積載トレイ３３ごとに駆動動作を行っていたが、図１２に示すように用紙積載装置３の上部にスティッピングモータ５７等の搬送駆動手段を設け、タイミングベルト５９を介してアイドラローラ６９、搬送ローラ３１及び排紙ローラ３５を駆動するようにしても良い。
【００４４】
ピックアップローラ４３の駆動は、リンク部材を介してピックアップ駆動部７７に接続するようにしたが、これに限定されず例えば、図１３に示すように排紙ローラ３５とピックアップローラ４３との間に、中間プーリ６３を設けてタイミングベルト６５、６７を介して排紙ローラ３５とピックアップローラ４３とが連動するようにしても良い。
【００４５】
【発明の効果】
請求項１に記載の発明では、１つの用紙積載装置にメールボックス機能とインサータ機能との両方を兼ね備えたので、インサータ機能を備えた装置を別途設ける必要がなく省スペース化と低コスト化を図ることができる。
【００４６】
請求項２に記載の発明では、請求項１に記載の発明と同様の効果を奏するとともに、メールボックス機能として使用する場合には、案内部材と用紙切換爪との間でなす角度を大きくしているので、画像形成装置から送られてきた用紙が積載トレイ内に導かれ易く、一方インサータ機能として使用する場合には案内部材と用紙切換爪との間でなす角度をメールボックス機能の場合に比べて小さくするので、用紙が用紙搬送方向に導かれ易く、用紙の搬送をスムーズに行うことができる。
【００４７】
請求項３に記載の発明では、請求項１又は２に記載に発明と同様の効果を奏するとともに、上下に並んだ切換爪が用紙搬送方向と略一直線上になっているので、案内部材と用紙切換爪との間で段差が生じ難いので、インサータ機能として使用する場合に、用紙の搬送方向の先端が段差に引っ掛かり難く、スムーズに用紙を搬送できる。
【００４８】
請求項４に記載の発明では、請求項１乃至３の何れかに記載の発明と同様の効果を奏するとともに、トレイに用紙をセットして整合手段をトレイの用紙サイズの位置に合わせると、検知手段によってインサート用紙がセットされていると認識され、トレイにセットされた用紙が用紙後処理装置内に向けて搬送されるので、別途に煩雑な操作が必要でなく、操作性が向上する。
【００４９】
請求項５に記載の発明では、請求項４に記載の発明と同様の効果を奏するとともに、インサート機能として利用されるトレイに排紙指示があった場合には、他のトレイに排紙されるので、メールボックス機能とインサート機能とを同時に利用する場合でも他のユーザに迷惑をかけることがなく対応ができる。
【００５０】
請求項６に記載の発明では、用紙積載装置の複数のトレイが排紙又は給紙の何れか一方のみの動作を行うようにしたので、用紙切換爪の複雑な制御を必要とせず、用紙搬送手段の動作の切換によって両方の機能を行うことができるので、構成が簡単で低コスト化を図れる。
【図面の簡単な説明】
【図１】本発明の用紙積載装置の設置状態を概略的に示す断面図である。
【図２】図１の用紙積載装置を示す断面図である。
【図３】図２の積載トレイを拡大して示す断面図である。
【図４】積載トレイの各部分の駆動部を示す断面図である。
【図５】本発明の用紙積載装置の制御ブロック図である。
【図６】本発明に係る用紙積載装置のメールボックス機能時における動作の流れを示すフローチャートである。
【図７】本発明に係る用紙積載装置のインサート機能時における動作の流れを示すフローチャートである。
【図８】本発明の用紙積載装置の用紙切換爪について概略的に示す断面図を示し、（ａ）はメールボックス機能時、（ｂ）はインサート機能時である。
【図９】第２の実施形態に係る用紙切換爪を示す断面図である。
【図１０】図２の積載トレイを拡大して示す平面図である。
【図１１】第４の実施形態に係る積載トレイを概略的に示す断面図である。
【図１２】図２における積載トレイのピックアップローラの変形例を示す断面図である。
【図１３】図２における積載トレイの搬送手段の変形例を示す断面図である。
【符号の説明】
１　　　　　　用紙後処理装置
３　　　　　　用紙積載装置
３１　　　　　搬送ローラ（用紙搬送手段）
３３　　　　　積載トレイ（トレイ）
３７　　　　　用紙切換爪
８０　　　　　制御手段
１００　　　　画像形成装置
Ｐ　　　　　　用紙
【図１】
2004067314.tif 000003
【図２】
2004067314.tif 000004
【図３】
2004067314.tif 000005
【図４】
2004067314.tif 000006
【図５】
2004067314.tif 000007
【図６】
2004067314.tif 000008
【図７】
2004067314.tif 000009
【図８】
2004067314.tif 000010
【図９】
2004067314.tif 000011
【図１０】
2004067314.tif 000012
【図１１】
2004067314.tif 000013
【図１２】
2004067314.tif 000014
【図１３】
2004067314.tif 000015